(57)【要約】【課題】  グレーティングレンズの組立作業の簡便化を図れ、作業効率を向上できてコストダウンを図れ、グレーティングレンズの固定制度の安定化を図れて信頼性を高められる。【解決手段】  グレーティングレンズ３の外周壁に三角形の凹型案内溝３ｂが形成され、スライドベース１には、凹型案内溝に嵌め入れられる断面略半円形の凸型ガイドレール２ａが平面視略Ｕ字形の開口部２の内壁に設けられていると共に、開口部の内壁内に圧縮ばね４の付勢力で一部が外側に突出する球状体５が配置されており、グレーティングレンズをスライドベースの開口部に嵌め入れるときに、グレーティングレンズの凹型案内溝がスライドベースの開口部の凸型ガイドレールに嵌められて開口部の奥部にスライドされ、この状態で開口部の内壁内の球状体が圧縮ばねの付勢力で外側に弾性を持って突出されて、球状体がグレーティングレンズの外周壁に当接してグレーティングレンズが固定される。【選択図】  図１
2008084360.tif 000002
【特許請求の範囲】
【請求項１】
光ピックアップのスライドベースに平面視略Ｕ字形の開口部が設けられ、調整用切り欠きが設けられた平面視略円形のグレーティングレンズが前記開口部に嵌め込まれて固定されるようにしたグレーティングレンズの固定構造において、前記グレーティングレンズの外周壁に三角形の凹型案内溝が形成され、前記スライドベースには、前記凹型案内溝に嵌め入れられる断面略半円形の凸型ガイドレールが前記開口部の内壁に設けられていると共に、開口部の内壁内に圧縮ばねの付勢力で一部が外側に突出する球状体が配置されており、前記グレーティングレンズを前記スライドベースの開口部に嵌め入れるときに、前記グレーティングレンズの凹型案内溝が前記スライドベースの開口部の凸型ガイドレールに嵌められて開口部の奥部にスライドされ、この状態で前記開口部の内壁内の前記球状体が前記圧縮ばねの付勢力で外側に弾性を持って突出されることにより、この球状体が前記グレーティングレンズの外周壁に当接して前記グレーティングレンズが前記スライドベースの開口部内に固定されるようにしたことを特徴とするグレーティングレンズの固定構造。
【請求項２】
光ピックアップのスライドベースに平面視略Ｕ字形の開口部が設けられ、調整用切り欠きが設けられた平面視略円形のグレーティングレンズが前記開口部に嵌め込まれて固定されるようにしたグレーティングレンズの固定構造において、前記グレーティングレンズが前記スライドベースの開口部内に凹凸嵌合によってスライドされて嵌め入れられ、前記グレーティングレンズはスライドベースの開口部に嵌め入れられた状態で固定部材によって固定されるようにしたことを特徴とするグレーティングレンズの固定構造。
【請求項３】
前記凹凸嵌合の構造は、グレーティングレンズの外周壁に設けられた断面略半円形の凸状部と、前記スライドベースの開口部の内周壁に設けられた三角形の凹型案内溝とから構成されている請求項２に記載のグレーティングレンズの固定構造。
【請求項４】
前記固定部材は、スライドベースの開口部とこのスライドベースの開口部内に嵌め入れられたグレーティングレンズとの隙間に入れられた接着剤からなる請求項２又は３に記載のグレーティングレンズの固定構造。
【請求項５】
前記固定部材は、前記スライドベースに設けられ、前記グレーティングレンズが前記スライドベースの開口部に嵌め入れられた状態で抜け止め固定するためのストッパー部材からなる請求項２又は３に記載のグレーティングレンズの固定構造。
【請求項６】
前記ストッパー部材は、前記スライドベースに螺合され、ねじ込むことによって、前記スライドベースの開口部に嵌め入れられた前記グレーティングレンズの外周壁に当接するビスで構成されている請求項５に記載のグレーティングレンズの固定構造。
【発明の詳細な説明】
【技術分野】
【０００１】
本発明は、光ピックアップのスライドベースに平面視略Ｕ字形の開口部が設けられ、調整用切り欠きが設けられた平面視略円形のグレーティングレンズが前記開口部に嵌め込まれて固定されるようにしたグレーティングレンズの固定構造に関するものである。
【背景技術】
【０００２】
従来のこの種のグレーティングレンズの固定構造は、スライドベースへグレーティングレンズを組み付ける作業が困難であり、構造的にスライドベースとグレーティングレンズとの間に隙間があって固定精度が不足しているという問題があった。
【０００３】
第１の従来技術を図５（ａ）（ｂ）（ｃ）に示す。この従来の集積光学システムは、図５（ａ）（ｂ）（ｃ）に示すように、光を発生させる光源及び光を受光するメイン光検出器１１７及びモニタ光検出器１１９が配置された光学ベンチ１１０と、光学ベンチ１１０に結合されるレンズ部１７０と、光源１１５から出射されてレンズ部１７０側へ進行する光と、レンズ部１７０側から入射されて進行する光の光路を分離する光路分離部材１５０と、光源１１５から出射されて入射される光の進行方向を切り替えてレンズ部１７０側に向わせる第１ミラー１３１とレンズ部１７０側から入射され第１ミラー１３１で反射された光の進行方向を切り替えてメイン光検出器１１７に向わせる第２ミラー１３５とを備え光学ベンチ１１０と結合される光路形成部１３０とを備えるものである。更に、光学ベンチ１１０に凹部１２５を形成し、凹部１２５に光路分離部材１５０を設置するようにしている。（例えば、特許文献１参照）。
【０００４】
ところが、これにおいては、凹部１２５と光学分離部材１５０に互いに嵌合する凹溝と凸部がないものであった。
【０００５】
第２の従来技術を図６、図７に示す。この従来の光ピックアップ装置は、図６、図７に示すように、回折格子２３０、２４０は、薄い金属板からなるホルダ２３２、２４２に取り付けられ、板バネ２５０の一対の押圧片２５１、２５３により金属製のブロックベース２２１の内壁面２１１ａ、２１２ａに付勢され保持されている。また、ホルダ２３２、２４２の摺動端面２３７、２４７は、ブロックベース２２１の被摺動面２１１ｂ、２１２ｂに当接し、回折格子２３０、２４０が、ブロックベース２２１に対して回動可能に支持されている。これにより、光ピックアップ装置の薄型化および小型化が可能になるとともに、回折格子の角度調整も容易に行なうことができる。更に、ガラス基板２３１、２４１をホルダ２３２、２４２に取り付けるようになっている。（例えば、特許文献２参照）。
【０００６】
ところが、これにおいては、ガラス基板２３１、２４１を固定するためのストッパーがないものであった。
【特許文献１】特開２００５−３４６９０３号公報
【特許文献２】特開２００５−２８５１６６号公報
【発明の開示】
【発明が解決しようとする課題】
【０００７】
本発明は、上記従来の問題に鑑みてなされたものであって、グレーティングレンズの組立作業の簡便化を図れ、作業効率を向上することができてコストダウンすることができ、グレーティングレンズの固定制度の安定化を図れて信頼性を高めることができるグレーティングレンズの固定構造を提供することを目的としている。
【課題を解決するための手段】
【０００８】
本発明は、上記課題を解決するために提案されたものであって、請求項１に記載の発明は、光ピックアップのスライドベースに平面視略Ｕ字形の開口部が設けられ、調整用切り欠きが設けられた平面視略円形のグレーティングレンズが前記開口部に嵌め込まれて固定されるようにしたグレーティングレンズの固定構造において、前記グレーティングレンズの外周壁に三角形の凹型案内溝が形成され、前記スライドベースには、前記凹型案内溝に嵌め入れられる断面略半円形の凸型ガイドレールが前記開口部の内壁に設けられていると共に、開口部の内壁内に圧縮ばねの付勢力で一部が外側に突出する球状体が配置されており、前記グレーティングレンズを前記スライドベースの開口部に嵌め入れるときに、前記グレーティングレンズの凹型案内溝が前記スライドベースの開口部の凸型ガイドレールに嵌められて開口部の奥部にスライドされ、この状態で前記開口部の内壁内の前記球状体が前記圧縮ばねの付勢力で外側に弾性を持って突出されることにより、この球状体が前記グレーティングレンズの外周壁に当接して前記グレーティングレンズが前記スライドベースの開口部内に固定されるようにしたことを特徴としている。
【０００９】
請求項２に記載の発明は、光ピックアップのスライドベースに平面視略Ｕ字形の開口部が設けられ、調整用切り欠きが設けられた平面視略円形のグレーティングレンズが前記開口部に嵌め込まれて固定されるようにしたグレーティングレンズの固定構造において、前記グレーティングレンズが前記スライドベースの開口部内に凹凸嵌合によってスライドされて嵌め入れられ、前記グレーティングレンズはスライドベースの開口部に嵌め入れられた状態で固定部材によって固定されるようにしたことを特徴としている。
【００１０】
請求項３に記載の発明は、請求項２に記載の発明において、前記凹凸嵌合の構造は、グレーティングレンズの外周壁に設けられた断面略半円形の凸状部と、前記スライドベースの開口部の内周壁に設けられた三角形の凹型案内溝とから構成されている。
【００１１】
請求項４に記載の発明は、請求項２又は３に記載の発明において、前記固定部材は、スライドベースの開口部とこのスライドベースに嵌め入れられたグレーティングレンズとの隙間に入れられた接着剤からなるものである。
【００１２】
請求項５に記載の発明は、請求項２又は３に記載の発明において、前記固定部材は、前記スライドベースに設けられ、前記グレーティングレンズが前記スライドベースの開口部に嵌め入れられた状態で抜け止め固定するためのストッパー部材からなるものである。
【００１３】
請求項６に記載の発明は、請求項５に記載の発明において、前記ストッパー部材は、前記スライドベースに螺合され、ねじ込むことによって、前記スライドベースの開口部に嵌め入れられた前記グレーティングレンズの外周壁に当接するビスで構成されているものである。
【発明の効果】
【００１４】
請求項１に記載の発明によれば、スライドベースの開口部に設けられた凸型ガイドレールにグレーティングレンズに設けられた凹型案内溝が嵌合した状態でクレーティングレンズがスライドベースの開口部の奥部にスライドされるから、組立作業を簡便化することができ、作業効率を向上させることができ、コストダウンを図ることができる。また、断面略半円形の凸型ガイドレールに三角形の凹型案内溝が接するので、接触面積が小さくてスライドベースの開口部に対するグレーティングレンズのスライドをスムーズに行うことができる。また、グレーティングレンズをスライドベースの開口部の奥部まで嵌め入れた後に、球状体が圧縮ばねの付勢力でグレーティングレンズの外周壁に当接してグレーティングレンズが固定されるので、固定精度を安定化することができ、信頼性を向上することができる。
【００１５】
請求項２に記載の発明によれば、スライドベースの開口部にグレーティングレンズが凹凸嵌合によりスライドされて嵌め入れられるから、組立作業を簡便化することができ、作業効率を向上させることができ、コストダウンを図ることができる。また、グレーティングレンズがスライドベースの開口部に嵌め入れられた状態で固定部材によって固定されるから、固定精度を安定化することができ、信頼性を向上することができる。
【００１６】
請求項３に記載の発明によれば、凹凸嵌合の構造が、グレーティングレンズの外周壁に設けられた断面略半円形の凸状部と、前記スライドベースの開口部の内周壁に設けられた三角形の凹型案内溝とから構成されているから、組立作業をより一層簡便化することができ、作業効率を向上することができる。また、スライドベースの開口部の内周壁に凹型案内溝を設けたので、従来のグレーティングレンズをスライドベースの開口部に取り付けることができる利点がある。
【００１７】
請求項４に記載の発明によれば、固定部材が接着剤からなるものであるから、この接着剤によって、グレーティングレンズをスライドベースの開口部に強固に固定することができる。
【００１８】
請求項５に記載の発明によれば、固定部材がストッパー部材で構成されているから、グレーティングレンズをスライドベースの開口部に安定した状態で固定することができる。
【００１９】
請求項６に記載の発明によれば、ストッパー部材がビスからなるものであるから、ストッパー部材を安価に提供することができる。また、ビスによって、グレーティングレンズを開口部内により一層強固に固定することができる。
【発明を実施するための最良の形態】
【００２０】
以下、本発明に係るグレーティングレンズの固定構造の実施の形態について、図を参照しつつ説明する。
【００２１】
図１は本発明の第１実施形態のグレーティングレンズの固定構造を示し、（ａ）はその分解斜視図、（ｂ）はその組立完了時の状態を示す平面図、図２は図１（ｂ）の状態で接着剤で固定した状態の平面図である。
【００２２】
この第１実施形態のグレーティングレンズの固定構造は、図１（ａ）に示すように、光ピックアップのスライドベース１に平面視略Ｕ字形の開口部２が設けられ、調整用切り欠き３ａが設けられた平面視略円形のグレーティングレンズ３が嵌め入れられるようになっている。グレーティングレンズ３の外周壁には厚さ方向中央部に三角形の凹型案内溝３ｂが形成されている。一方、スライドベース１の開口部２の内壁には、凹型案内溝３ｂに嵌め入れられる断面略半円形の凸型ガイドレール２ａが設けられている。更に、この開口部２の内壁には、円孔２ｃが形成されており、この円孔２ｃに圧縮ばね４が配設され、開口部２の内壁に一部が望む球状体５が圧縮ばね４の付勢力で外向きに付勢された状態で配置されている。また、グレーティングレンズ３の先端部は平面状に切断された形状に形成されている。
【００２３】
上記の構成により、グレーティングレンズ３をスライドベース１の開口部２に嵌め入れるときに、グレーティングレンズ３の凹型案内溝３ｂがスライドベース１の開口部２の凸型ガイドレール２ａに嵌められて開口部２の奥部にスライドされる。この状態で図１（ｂ）に示すように、開口部２の内壁の円孔２ｃに配設された球状体５が圧縮ばね４の付勢力で外側に弾性を持って突出されて、この球状体５がクレーティングレンズ３の外周壁に当接してグレーティングレンズ３がスライドベース１の開口部２内に固定される。この状態で、図２に示すように、スライドベース１の開口部２内に接着剤６が注入され、グレーティングレンズ１が開口部２内に確実に固定される。
【００２４】
従って、この第１実施形態によれば、スライドベース１の開口部２に設けられた凸型ガイドレール２ａにグレーティングレンズ３に設けられた凹型案内溝３ｂが嵌合した状態でクレーティングレンズ３がスライドベース１の開口部２の奥部にスライドされるから、組立作業を簡便化することができ、作業効率を向上させることができ、コストダウンを図ることができる。また、断面略半円形の凸型ガイドレール２ａに三角形の凹型案内溝３ｂが接するので、接触面積が小さくてスライドベース１の開口部２に対するグレーティングレンズ３のスライドをスムーズに行うことができる。また、グレーティングレンズ３をスライドベース１の開口部２の奥部まで嵌め入れた後に、球状体５が圧縮ばね４の付勢力でグレーティングレンズ３の外周壁に当接してグレーティングレンズ３が固定されるので、固定精度を安定化することができ、信頼性を向上することができる。また、接着剤６によって、グレーティングレンズ３をスライドベース１の開口部２に強固に固定することができる。
【００２５】
図３は第２実施形態のグレーティングレンズの固定構造を示し、（ａ）はその固定用のビスを螺入している状態の平面図、（ｂ）はそのビスでグレーティングレンズを押圧し、接着剤で固定した状態の平面図である。
【００２６】
この第２実施形態のグレーティングレンズの固定構造は、図３（ａ）（ｂ）に示すように、スライドベース１の外壁から開口部２の内壁に向けて雌ねじ孔７が穿設され、この雌ねじ孔７にビス８が螺入されるようになっている。クレーティングレンズ３がスライドベース１の開口部２の奥部までスライドされた後に、ビス８をねじ込むと、ビス８の先端がグレーティングレンズ３の外周壁に当接してグレーティングレンズ３が開口部２内に固定される。更に、開口部２に接着剤６が注入されて、グレーティングレンズ３が開口部２内に強固に固定される。
【００２７】
従って、この第２実施形態によれば、ビス８によってグレーティングレンズ３を開口部２内に固定するから、安価な構造とすることができる。また、ビス８によって、グレーティングレンズ３を開口部２内により一層強固に固定することができる。
【００２８】
図４は第４実施形態のグレーティングレンズの固定構造を示す分解斜視図である。
【００２９】
この第４実施形態のグレーティングレンズの固定構造は、図４に示すように、グレーティングレンズ３の外周壁に断面略半円形の凸状部３ｃが設けられ、スライドベース１の開口部２の内周壁に三角形の凹型案内溝２ｄが設けられていて、グレーティングレンズ３の凸状部３ｃが開口部２の凹型案内溝２ｄに嵌め入れられ、球状体５によって固定されるようになっている。
【００３０】
この第４実施形態によれば、グレーティングレンズ３の外周壁に設けられた断面略半円形の凸状部３ｃと、スライドベース１の開口部２の内周壁に設けられた三角形の凹型案内溝２ｄとが嵌合するから、組立作業をより一層簡便化することができ、作業効率を向上することができる。また、スライドベース１の開口部２の内周壁に凹型案内溝２ｄを設けたので、従来のグレーティングレンズをスライドベース１の開口部２内に取り付けることができる利点がある。
【図面の簡単な説明】
【００３１】
【図１】本発明の第１実施形態のグレーティングレンズの固定構造を示し、（ａ）はその分解斜視図、（ｂ）はその組立完了時の状態を示す平面図である。
【図２】図１（ｂ）の状態で接着剤で固定した状態の平面図である。
【図３】第２実施形態のグレーティングレンズの固定構造を示し、（ａ）はその固定用のビスを螺入している状態の平面図、（ｂ）はそのビスでグレーティングレンズを押圧し、接着剤で固定した状態の平面図である。
【図４】第４実施形態のグレーティングレンズの固定構造を示す分解斜視図である。
【図５】従来の集積光学システムを示し、（ａ）はその概略斜視図、（ｂ）はその光学ベンチの構成の概略斜視図、（ｃ）はその側面図である。
【図６】従来の光ピックアップ装置の組立途中の状態を示す斜視図である。
【図７】図６に示す光ピックアップ装置の分解斜視図である。
【符号の説明】
【００３２】
１      スライドベース
２      開口部
２ａ    凸型ガイドレール
２ｃ    円孔
２ｄ    凹型案内溝
３      グレーティングレンズ
３ａ    調整用切り欠き
３ｂ    凹型案内溝
３ｃ    凸状部
４      圧縮ばね
５      球状体
６      接着剤
７      雌ねじ孔
８      ビス
【図１】
2008084360.tif 000003
【図２】
2008084360.tif 000004
【図３】
2008084360.tif 000005
【図４】
2008084360.tif 000006
【図５】
2008084360.tif 000007
【図６】
2008084360.tif 000008
【図７】
2008084360.tif 000009